(57)【特許請求の範囲】
【請求項１】
気密シートが立ち上がり用シート部を残して上面に添着された下階居室ユニットと、気密シート帯片がバルコニー床の側縁に添着されて垂下されたバルコニーとを設けておいて、前記バルコニーを前記下階居室ユニット上に載置した後、前記気密シートの立ち上がり用シート部と前記気密シート帯片とを前記バルコニー床の一側面に沿わせて重ね合わせ、重ね合わせ部を密着させることを特徴とするバルコニー床気密構造施工方法。
【発明の詳細な説明】
【０００１】
【産業上の利用分野】
この発明は、バルコニーの床が下階居室上に設置されたバルコニー床気密構造施工方法に関するものである。
【０００２】
【従来の技術】
従来のバルコニーには、建物の外壁面より屋外側に突き出して設けられるオーバーハングタイプのものと、建物の外壁面から突出しないように下階居室上に設置された非オーバーハングタイプのものがある。このオーバーハングタイプのバルコニーは軒下天井の上にバルコニー床板（バルコニー床パネル）を有し、非オーバーハングタイプのバルコニーは下階ユニットの下階居室天井の上にバルコニー床板（バルコニー床パネル）を有する。
【０００３】
この様なバルコニーでは、バルコニー床板と軒下天井（又は下階居室天井）との間に床枠材が配設されているため、この軒下天井（又は下階居室天井）とバルコニー床板との間に空間が存在する。しかし、この空間は換気がなされるような構造となっていないため、屋外から直射日光に曝されるバルコニー床板が夏場になると高温に上昇して、バルコニー床板と軒下天井（又は下階居室天井）との空間の空気が高温に上昇する。
【０００４】
このため、部分的にオーバーハングするタイプのバルコニー又は非オーバーハングタイプのバルコニーであっても、バルコニーの下に下階居室がある場合には、夏場になってバルコニー床板と軒下天井（又は下階居室天井）との空間の空気が高温に上昇すると、バルコニーの下の下階居室の温度が上昇し、快適性が損なわれるものであった。
【０００５】
そこで、快適性を維持するために、特開平９−４１４７７号公報に開示されたように、バルコニー床板と軒下天井（又は下階居室天井）との空間の空気を軒下天井から取り入れて換気を行うようにしたものがある。このタイプのバルコニーでは、床下の換気を行うことができるため、床下の空間の温度が上昇しても排熱でき、又、床下の空間に湿気が発生しても排湿できる。
【０００６】
【発明が解決しようとする課題】
しかしながら、非オーバーハングタイプのバルコニーを有する建物では、バルコニー床の床下に形成される空間の換気がとりにくく、下階居室からの湿気が下階居室の天井とバルコニー床板との間の空間に滞留して結露を生じ易いという問題があった。
【０００７】
そこで、この発明は、バルコニー床下の空間に下階居室からの湿気の進入するのを未然に防止できるバルコニー床気密構造施工方法を提供することを目的とするものである。
【００１０】
【課題を解決するための手段】
この目的を達成するために、請求項１の発明のバルコニー床気密構造施工方法は、気密シートが立ち上がり用シート部を残して上面に添着された下階居室ユニットと、気密シート帯片がバルコニー床の側縁に添着されて垂下されたバルコニーとを設けておいて、前記バルコニーを前記下階居室ユニット上に載置した後、前記気密シートの立ち上がり用シート部と前記気密シート帯片とを前記バルコニー床の一側面に沿わせて重ね合わせ、重ね合わせ部を密着させることを特徴とする。
【００１１】
この構成によれば、下階居室ユニットを工場で製造する際に、予め気密シートを下階居室ユニットの上面に添着するか、或いは、下階居室ユニットを建物の組立現場で設置した後に、気密シートを下階居室ユニットの上面に添着することができる。気密シート帯片も同様にバルコニーを工場で組み立てる際、或いは、建物の組立現場でバルコニー床に添着できる。このように予め気密シートが添着された下階居室ユニットの上に気密シート帯片が添着されたバルコニーを設置して、気密シートの立ち上がり用シート部と気密シート帯片とを接着することで、バルコニーの床下空間の気密シートによる気密性を簡易に確保できる。
【００１２】
【発明の実施の形態】
（バルコニー床気密構造）
以下、この発明の実施の形態を図面に基づいて説明する。
【００１３】
図１は、この発明に係るバルコニー床気密構造を備える建物の概略平面図を示したものである。図１に示した建物１は、図２に示したように、下階居室ユニット２，３と、下階居室ユニット２上に設置されたバルコニー４と、下階居室ユニット３の上に設置された上階居室ユニット５を有する。２ａ，３ａは下階居室ユニット２，３の下階居室、５ａは上階居室ユニット５の上階居室、５ｂは上階居室ユニット５のユニット外壁である。
【００１４】
図２の下階居室ユニット２は図３に示したように天井梁６，６を有し、図２の下階居室ユニット３は図３（ａ）に示したように天井梁７を有し、上階居室ユニット５は天井梁７上に取り付けられた床梁８を有する。
【００１５】
バルコニー４は、バルコニー床９と、バルコニー床９の一側部に設けられた手摺り１０と、ユニット外壁５ｂの下方に位置するバルコニー側壁４ａを有する。
【００１６】
このバルコニー床９は、バルコニー床フレーム１１と、バルコニー床フレーム１１上に取り付けられた床根太１２と、床根太１２上に取り付けられたバルコニー床板（バルコニー床パネル）１３と、手摺り１０に沿ってバルコニー床フレーム１１上に直接取り付けられたバルコニー床板１４を有する。
【００１７】
尚、バルコニー床板１３は、床下地板１３ａ上にアスファルトルーフィング（図示略）を施し、その上に塩化ビニール皮膜を設けた鋼板製の床板１３ｂを添着し、この床板１３ｂ上に床仕上材を添着したものである。この構造は、工場で製造してもよいし、建物１の組立現場で形成してもよい。また、バルコニー床板１４もバルコニー床板１３と同様な構成とすることができる。更に、鋼板製の床板１３ｂは、一側部１３ｃがバルコニー側壁４ａに沿って起立していると共にユニット外壁５ｂの内面側に固定され、他側部側１３ｄがバルコニー床板１４に沿って手摺り１０側に延びた後に上方に起立していると共に手摺り１０の壁部１０ａに固定されている。
【００１８】
バルコニー床フレーム１１は、上階居室ユニット５側の天井梁６上に取り付けられた断面Ｌ字状のバルコニー大梁１５と、上階居室ユニット５とは反対側の天井梁６上に取り付けられた断面コ字状のバルコニー大梁１６と、バルコニー大梁１５，１６間に渡架されたバルコニー小梁１７とを有する。
【００１９】
尚、バルコニー大梁１５，１６は天井梁６，６に沿って延びており、床根太１２はバルコニー大梁１５，１６と平行に設けられている。また、天井梁６，６の下部には図１の下階居室天井２ａが設けられ、下階天井１８の下方には下階居室１９が形成されている。また、バルコニー床板１３，１４の下方（バルコニー床下）にはバルコニー床フレーム１１や床根太１２により形成される空間１９が設けられている。
【００２０】
そして、下階居室２ａとバルコニー床９との境界、実質的には下階居室ユニット２とバルコニー床９との境界には気密シート２０が介装されている。この気密シート２０は、バルコニー床９と上階居室５ａとの境界面、即ち実質的には上階居室ユニット５との下部外面まで延設された立ち上がり用シート部２０ａを有する。尚、気密シート２０は、水平部分の両側部が天井梁６，６と大梁１５，１６との間に挟持され、立ち上がり用シート部２０ａの上端の折返部２０ｂが図３の（ｂ）に拡大して示したようにバルコニー床板１３の床下地板１３ａと鋼板製の床板１３ｂとの間に挟持されている。
【００２１】
この構成によれば、下階居室２ａからの湿気がバルコニー床９の床下空間１９に進入するのを気密シート２０が防止することになる。また、バルコニー床９の側方から床下空間１９に湿気が進入するのも気密シート２０の立ち上がり用シート部２０ａにより防止される。
（バルコニー床気密構造施工方法）
この様なバルコニー床気密構造を施工するには、まず図４（ａ）に示したように下階居室ユニット２を工場で製造する際に、予め気密シート２０を下階居室ユニット２の上面に添着するか、或いは、下階居室ユニット２を建物１の組立現場で設置した後に、気密シート２０を下階居室ユニット２の上面に添着する。
【００２２】
一方、気密シート帯片２１を同様にバルコニー４を工場で組み立てる際、或いは、建物１の組立現場でバルコニー床９に添着する。この際、気密シート帯片２１は床下地板の縁部上に側縁部を添着して、この気密シート帯片２１の側縁部上にアスファルトルーフィングを施すことで、気密シート帯片２１のバルコニー床９への取付部も確実に気密性を持たせることができる。
【００２３】
そして、このように予め気密シート２０が添着された下階居室ユニット２の上に気密シート帯片２１が添着されたバルコニー４を図４（ｂ）の如く設置して、気密シート２０の立ち上がり用シート部２０ａと気密シート帯片２１とを図示を省略したアルミテープで接着することで、バルコニー４の床下空間１９の気密シート２０による気密性を簡易に確保できる。
【００２４】
この後、下階居室ユニット３上に上階居室ユニット５を図４（ｃ）の如く設置して、気密シート２０の立ち上がり用シート部２０ａと気密シート帯片２１をバルコニー床９と上階居室ユニット５との間で挟持させることで、バルコニー床気密構造施工方法は完了する。尚、上述したアスファルトルーフィング（図示を省略）上に図３と同様に鋼板製の床板が設置され、気密シート帯片２１の側縁部がバルコニー床９の床下地板の縁部と鋼板製の床板との間に挟持されることになる。また、バルコニー床９にアスファルトルーフィングを施し、このアスファルトルーフィング上に気密シート帯片２１の側縁部を固着してもよい。
【００２７】
【発明の効果】
以上説明したように、請求項１の発明のバルコニー床気密構造施工方法は、気密シートが立ち上がり用シート部を残して上面に添着された下階居室ユニットと、気密シート帯片がバルコニー床の側縁に添着されて垂下されたバルコニーとを設けておいて、前記バルコニーを前記下階居室ユニット上に載置した後、前記気密シートの立ち上がり用シート部と前記気密シート帯片とを前記バルコニー床の一側面に沿わせて重ね合わせ、重ね合わせ部を密着させる構成としたので、下階居室ユニットを工場で製造する際に、予め気密シートを下階居室ユニットの上面に添着するか、或いは、下階居室ユニットを建物の組立現場で設置した後に、気密シートを下階居室ユニットの上面に添着することができる。また、気密シート帯片も同様にバルコニーを工場で組み立てる際、或いは、建物の組立現場でバルコニー床に添着できる。このように予め気密シートが添着された下階居室ユニットの上に気密シート帯片が添着されたバルコニーを設置して、気密シートの立ち上がり用シート部と気密シート帯片とを接着することで、バルコニーの床下空間の気密シートによる気密性を簡易に確保できる。
【図面の簡単な説明】
【図１】この発明に係るバルコニー床気密構造を備える建物の概略平面図である。
【図２】図１のＡ−Ａ線に沿う概略断面説明図である。
【図３】図２の要部拡大詳細説明図である。
【図４】この発明に係るバルコニー床気密構造施工方法の説明図である。
【符号の説明】
１・・・建物
２・・・下階居室ユニット
２ａ・・・下階居室
３・・・下階居室ユニット
４・・・バルコニー
５・・・上階居室ユニット
５ａ・・・上階居室
２０・・・気密シート
２１・・・気密シート帯片
【図１】
0004347962.tif 000002
【図２】
0004347962.tif 000003
【図３】
0004347962.tif 000004
【図４】
0004347962.tif 000005